(57)【要約】【課題】段板及び蹴込板を安定して受け止めることができる階段及び階段の組み立て方法を提供する。【解決手段】本実施の形態に係る階段１は、一面に被挿入部３１を有し、他面が壁面２１に接触し、端面の一部が床面２２に接触しており、前記壁面２１に取り付けられている側板３と、前記被挿入部３１に挿入されており、前記側板３に交差する方向に延びる溝４１１が下面に設けられている最下段の段板４１と、前記被挿入部３１及び前記溝４１１に挿入されている蹴込板４３とを備える階段１において、前記被挿入部３１は凹部又は開口であり、前記被挿入部３１の後部は開放されており、前記壁面２１、前記段板４１の前記下面、前記蹴込板４３の後面、及び前記床面２２に接触しており、前記壁面２１に取り付けられている板受け部材５を備えることを特徴とする。【選択図】図１
2019031860.tif 000002
【特許請求の範囲】
【請求項１】
一面に被挿入部を有し、他面が壁面に接触し、端面の一部が床面に接触しており、前記壁面に取り付けられている側板と、
前記被挿入部に挿入されており、前記側板に交差する方向に延びる溝が下面に設けられている最下段の段板と、
前記被挿入部及び前記溝に挿入されている蹴込板と
を備える階段において、
前記被挿入部は凹部又は開口であり、
前記被挿入部の後部は開放されており、
前記壁面、前記段板の前記下面、前記蹴込板の後面、及び前記床面に接触しており、前記壁面に取り付けられている板受け部材
を備えることを特徴とする階段。
【請求項２】
前記被挿入部は、
前後方向に延び、後端部が開放されており、前記段板が挿入されている横長凹部と、
上下方向に延び、上端部が前記横長凹部の中途に連続し、後部が開放されており、前記蹴込板が挿入されている縦長凹部と
を有する前記凹部であり、
前記側板の前記他面における前記横長凹部の下側且つ前記縦長凹部の後側の部分に、後部が開放されている開口が設けられており、
該開口を通して前記板受け部材が前記壁面に接触していることを特徴とする請求項１に記載の階段。
【請求項３】
前記横長凹部の上下方向の長さは前記段板の厚みよりも短く、
前記縦長凹部の前後方向の長さは前記蹴込板の厚みよりも短く、
前記板受け部材は板状をなし、前記壁面に接触している一面と、前記段板の前記下面、前記蹴込板の前記後面、及び前記床面に接触している３つの端面とを有することを特徴とする請求項２に記載の階段。
【請求項４】
前記板受け部材は、
前記壁面に接触している一面と、前記蹴込板の前記後面及び前記床面に接触している２つの端面と、前記段板の前記下面から下方に離隔している他の端面とを有する板状をなし、前記壁面に取り付けられている蹴込板受けと、
該蹴込板受けに取り付けられている取り付け部、及び該取り付け部から前記壁面に向けて突出しており、前記段板の前記下面に接触するようにして前記段板の前記下面と前記蹴込板受けの前記他の端面との間に挿入されている挿入部を有する段板受けと
を備えることを特徴とする請求項２に記載の階段。
【請求項５】
前記板受け部材は、
前記壁面に接触している一面と、前記蹴込板の前記後面及び前記床面に接触している２つの端面とを有する板状をなし、前記壁面に取り付けられている蹴込板受けと、
該蹴込板受けに取り付けられている第１の取り付け部、及び該第１の取り付け部から前記壁面の側の逆側に向けて突出しており、前記段板の前記下面に取り付けられている第２の取り付け部を有する段板受けと
を備えることを特徴とする請求項２に記載の階段。
【請求項６】
一面に被挿入部を有し、他面が壁面に接触し、端面の一部が床面に接触し、前記壁面に取り付けられる側板と、
前記被挿入部に挿入され、前記側板に交差する方向に延びる溝が下面に設けられている最下段の段板と、
前記被挿入部及び前記溝に挿入される蹴込板と
を備える階段を組み立てる方法であって、
前記被挿入部が凹部又は開口であり、前記一面に沿い且つ前記端面の前記一部に沿う一方向の一側が開放されている前記側板と、前記段板と、前記蹴込板と、前記段板及び前記蹴込板を受け止めるための板受け部材とを準備し、
前記一側が後側になるようにして、前記側板を前記壁面に取り付け、
前記側板の取り付け後、前記溝に前記蹴込板が挿入されている前記段板を、前記被挿入部に後方から挿入するか、或いは、前記溝に前記蹴込板が挿入されていない前記段板を前記被挿入部に挿入し、
前記溝に前記蹴込板が挿入されていない前記段板を前記被挿入部に挿入した場合、前記蹴込板を前傾させて前記溝に下方から挿入すると共に前記被挿入部に後方から挿入し、
前記段板及び前記蹴込板の挿入後、前記板受け部材を、該板受け部材が前記壁面、前記段板の前記下面、前記蹴込板の後面、及び床面に接触するようにして、前記壁面に取り付けることを特徴とする階段の組み立て方法。
【請求項７】
前記被挿入部は、
前記一方向に延び、前記一側が開放されている横長凹部と、
前記一面に沿って前記一方向に交差する他方向に延び、前記横長凹部の中途から前記端面の前記一部に亘り、前記一側が開放されている縦長凹部と
を有する前記凹部であり、
前記横長凹部に前記段板を挿入し、
前記縦長凹部に前記蹴込板を挿入し、
前記側板の前記他面における前記横長凹部の前記端面の前記一部に近い側且つ前記縦長凹部の前記一側の部分に、前記一側が開放されている開口が設けられており、
前記板受け部材を前記壁面に取り付ける場合、前記開口を通して前記板受け部材を前記壁面に接触させることを特徴とする請求項６に記載の階段の組み立て方法。
【請求項８】
前記横長凹部の前記他方向の長さは前記段板の厚みよりも短く、
前記縦長凹部の前記一方向の長さは前記蹴込板の厚みよりも短く、
前記板受け部材は板状をなし、一面、互いに平行な２つの端面、及び該端面に直交する方向の他の端面を有し、
前記板受け部材を前記壁面に取り付ける場合、前記板受け部材の前記一面を前記壁面に接触させ、前記板受け部材の前記２つの端面を、前記段板の前記下面及び前記床面に接触させ、前記板受け部材の前記他の端面を、前記蹴込板の前記後面に接触させることを特徴とする請求項７に記載の階段の組み立て方法。
【請求項９】
前記板受け部材は、
板状をなし、一面、互いに平行な２つの端面、及び該端面に直交する方向の他の端面を有する蹴込板受けと、
取り付け部及び該取り付け部から突出している挿入部を有する段板受けと
を備え、
前記板受け部材を前記壁面に取り付ける場合、
前記蹴込板受けの前記一面が前記壁面に接触し、前記蹴込板受けの前記２つの端面の一方及び前記他の端面が前記床面及び前記蹴込板の前記後面に接触し、前記蹴込板受けの前記２つの端面の他方が前記段板の前記下面から下方に離隔するようにして、前記蹴込板受けを前記壁面に取り付け、
前記蹴込板受けの取り付け後に、前記挿入部の先端部が前記壁面に向き、前記挿入部が前記段板の前記下面に接触するようにして、前記挿入部を前記段板の前記下面と前記蹴込板受けの前記他方との間に挿入し、
前記挿入部の挿入後に、前記取り付け部を前記蹴込板受けに取り付けることを特徴とする請求項７に記載の階段の組み立て方法。
【請求項１０】
前記板受け部材は、
板状をなし、一面及び互いに直交する方向の２つの端面を有する蹴込板受けと、
第１の取り付け部及び該第１の取り付け部から突出している第２の取り付け部を有する段板受けと
を備え、
前記段板を前記横長凹部に挿入する前に、前記第２の取り付け部が前記第１の取り付け部から前記壁面の側の逆側に向けて突出し、前記第１の取り付け部が前記第２の取り付け部から下向きに突出するようにして、前記第２の取り付け部を前記段板の前記下面に取り付け、
前記板受け部材を前記壁面に取り付ける場合、
前記蹴込板受けの前記一面が前記壁面に接触し、前記蹴込板受けの前記２つの端面が前記床面及び前記蹴込板の前記後面に接触するようにして、前記蹴込板受けを前記壁面に取り付け、
前記蹴込板受けの取り付け後に、前記第１の取り付け部を前記蹴込板受けに取り付けることを特徴とする請求項７に記載の階段の組み立て方法。
【発明の詳細な説明】
【技術分野】
【０００１】
本発明は、側板、段板、及び蹴込板を備える階段及び階段の組み立て方法に関する。
【背景技術】
【０００２】
従来、２枚の側板と各複数枚の段板及び蹴込板とを備える階段が用いられている。
２枚の側板は、対向する２つの壁面に取り付けられる。側板の一面は壁面に接触し、側板の他面には、複数本の横長の溝と、上端部が横長の溝に連続している複数本の縦長の溝とが階段状に設けられている。横長の溝の後端部は開放されている。段板は、横長の溝に後方から挿入される。段板の下面には、側板に直交する方向に延びる溝が設けられている。側板の縦長の溝の下端部は開放されている。蹴込板は、縦長の溝に下方から挿入され、更に、段板の溝に下方から挿入される。
【０００３】
側板が壁面に取り付けられると、最下段の縦長の溝が床面によって閉鎖されるので、最下段の蹴込板を縦長の溝に下方から挿入することはできない。
そこで、特許文献１では、側板に切除部を設けることが提案されている。切除部は、側板における最下段の横長の溝の下側且つ縦長の溝の後側が切除されたような凹部であり、凹部の後部は開放されている。側板の壁面への取り付け後、溝に蹴込板が挿入されている段板が、切除部に後方から挿入される。切除部は、段板を下側から支える部分及び蹴込板を後側から支える部分を有していないので、段板及び蹴込板の挿入後、支持部材が段板の下面及び蹴込板の後面に接触するようにして切除部に取り付けられる。
【０００４】
支持部材は、階段の前方に向かって高さが減少するクサビ状の部材と、階段の後方に向かって高さが減少する逆クサビ状の部材とを備える。逆クサビ状の部材は、蹴込板の後面に接触し、段板の下面から離隔するようにして床に載置され、切除部の内面にビス留めされる。クサビ状の部材は、段板の下面に接触するようにして逆クサビ状の部材と段板の下面との間に挿入され、切除部の内面にビス留めされる。
【先行技術文献】
【特許文献】
【０００５】
【特許文献１】特開２０１１−２３６５７７号公報
【発明の概要】
【発明が解決しようとする課題】
【０００６】
一般に、段板は水平に配され、蹴込板は段板に垂直に配され、側板は前側から後側に向けて斜め上に延びている。故に、特許文献１に記載の階段の場合、切除部の内面の内、段板の下側且つ蹴込板の後側に位置する部分は直角三角形状をなす。この直角三角形は下向きの鋭角及び後向きの鋭角を有するので、切除部の内面の内、逆クサビ状の部材を切除部の内面に取り付けることができる前後方向の範囲は狭い。この結果、支持部材を切除部の内面に安定して取り付けることができず、段板及び蹴込板を安定して受け止めることができない虞がある。
【０００７】
本発明は斯かる事情に鑑みてなされたものであり、その主たる目的は、段板及び蹴込板を安定して受け止めることができる階段及び階段の組み立て方法を提供することにある。
【課題を解決するための手段】
【０００８】
本実施の形態に係る階段は、一面に被挿入部を有し、他面が壁面に接触し、端面の一部が床面に接触しており、前記壁面に取り付けられている側板と、前記被挿入部に挿入されており、前記側板に交差する方向に延びる溝が下面に設けられている最下段の段板と、前記被挿入部及び前記溝に挿入されている蹴込板とを備える階段において、前記被挿入部は凹部又は開口であり、前記被挿入部の後部は開放されており、前記壁面、前記段板の前記下面、前記蹴込板の後面、及び前記床面に接触しており、前記壁面に取り付けられている板受け部材を備えることを特徴とする。
【０００９】
本実施の形態に係る階段は、前記被挿入部は、前後方向に延び、後端部が開放されており、前記段板が挿入されている横長凹部と、上下方向に延び、上端部が前記横長凹部の中途に連続し、後部が開放されており、前記蹴込板が挿入されている縦長凹部とを有する前記凹部であり、前記側板の前記他面における前記横長凹部の下側且つ前記縦長凹部の後側の部分に、後部が開放されている開口が設けられており、該開口を通して前記板受け部材が前記壁面に接触していることを特徴とする。
【００１０】
本実施の形態に係る階段は、前記横長凹部の上下方向の長さは前記段板の厚みよりも短く、前記縦長凹部の前後方向の長さは前記蹴込板の厚みよりも短く、前記板受け部材は板状をなし、前記壁面に接触している一面と、前記段板の前記下面、前記蹴込板の前記後面、及び前記床面に接触している３つの端面とを有することを特徴とする。
【００１１】
本実施の形態に係る階段は、前記板受け部材は、前記壁面に接触している一面と、前記蹴込板の前記後面及び前記床面に接触している２つの端面と、前記段板の前記下面から下方に離隔している他の端面とを有する板状をなし、前記壁面に取り付けられている蹴込板受けと、該蹴込板受けに取り付けられている取り付け部、及び該取り付け部から前記壁面に向けて突出しており、前記段板の前記下面に接触するようにして前記段板の前記下面と前記蹴込板受けの前記他の端面との間に挿入されている挿入部を有する段板受けとを備えることを特徴とする。
【００１２】
本実施の形態に係る階段は、前記板受け部材は、前記壁面に接触している一面と、前記蹴込板の前記後面及び前記床面に接触している２つの端面とを有する板状をなし、前記壁面に取り付けられている蹴込板受けと、該蹴込板受けに取り付けられている第１の取り付け部、及び該第１の取り付け部から前記壁面の側の逆側に向けて突出しており、前記段板の前記下面に取り付けられている第２の取り付け部を有する段板受けとを備えることを特徴とする。
【００１３】
本実施の形態に係る階段の組み立て方法は、一面に被挿入部を有し、他面が壁面に接触し、端面の一部が床面に接触し、前記壁面に取り付けられる側板と、前記被挿入部に挿入され、前記側板に交差する方向に延びる溝が下面に設けられている最下段の段板と、前記被挿入部及び前記溝に挿入される蹴込板とを備える階段を組み立てる方法であって、前記被挿入部が凹部又は開口であり、前記一面に沿い且つ前記端面の前記一部に沿う一方向の一側が開放されている前記側板と、前記段板と、前記蹴込板と、前記段板及び前記蹴込板を受け止めるための板受け部材とを準備し、前記一側が後側になるようにして、前記側板を前記壁面に取り付け、前記側板の取り付け後、前記溝に前記蹴込板が挿入されている前記段板を、前記被挿入部に後方から挿入するか、或いは、前記溝に前記蹴込板が挿入されていない前記段板を前記被挿入部に挿入し、前記溝に前記蹴込板が挿入されていない前記段板を前記被挿入部に挿入した場合、前記蹴込板を前傾させて前記溝に下方から挿入すると共に前記被挿入部に後方から挿入し、前記段板及び前記蹴込板の挿入後、前記板受け部材を、該板受け部材が前記壁面、前記段板の前記下面、前記蹴込板の後面、及び床面に接触するようにして、前記壁面に取り付けることを特徴とする。
【００１４】
本実施の形態に係る階段の組み立て方法は、前記被挿入部は、前記一方向に延び、前記一側が開放されている横長凹部と、前記一面に沿って前記一方向に交差する他方向に延び、前記横長凹部の中途から前記端面の前記一部に亘り、前記一側が開放されている縦長凹部とを有する前記凹部であり、前記横長凹部に前記段板を挿入し、前記縦長凹部に前記蹴込板を挿入し、前記側板の前記他面における前記横長凹部の前記端面の前記一部に近い側且つ前記縦長凹部の前記一側の部分に、前記一側が開放されている開口が設けられており、前記板受け部材を前記壁面に取り付ける場合、前記開口を通して前記板受け部材を前記壁面に接触させることを特徴とする。
【００１５】
本実施の形態に係る階段の組み立て方法は、前記横長凹部の前記他方向の長さは前記段板の厚みよりも短く、前記縦長凹部の前記一方向の長さは前記蹴込板の厚みよりも短く、前記板受け部材は板状をなし、一面、互いに平行な２つの端面、及び該端面に直交する方向の他の端面を有し、前記板受け部材を前記壁面に取り付ける場合、前記板受け部材の前記一面を前記壁面に接触させ、前記板受け部材の前記２つの端面を、前記段板の前記下面及び前記床面に接触させ、前記板受け部材の前記他の端面を、前記蹴込板の前記後面に接触させることを特徴とする。
【００１６】
本実施の形態に係る階段の組み立て方法は、前記板受け部材は、板状をなし、一面、互いに平行な２つの端面、及び該端面に直交する方向の他の端面を有する蹴込板受けと、取り付け部及び該取り付け部から突出している挿入部を有する段板受けとを備え、前記板受け部材を前記壁面に取り付ける場合、前記蹴込板受けの前記一面が前記壁面に接触し、前記蹴込板受けの前記２つの端面の一方及び前記他の端面が前記床面及び前記蹴込板の前記後面に接触し、前記蹴込板受けの前記２つの端面の他方が前記段板の前記下面から下方に離隔するようにして、前記蹴込板受けを前記壁面に取り付け、前記蹴込板受けの取り付け後に、前記挿入部の先端部が前記壁面に向き、前記挿入部が前記段板の前記下面に接触するようにして、前記挿入部を前記段板の前記下面と前記蹴込板受けの前記他方との間に挿入し、前記挿入部の挿入後に、前記取り付け部を前記蹴込板受けに取り付けることを特徴とする。
【００１７】
本実施の形態に係る階段の組み立て方法は、前記板受け部材は、板状をなし、一面及び互いに直交する方向の２つの端面を有する蹴込板受けと、第１の取り付け部及び該第１の取り付け部から突出している第２の取り付け部を有する段板受けとを備え、前記段板を前記横長凹部に挿入する前に、前記第２の取り付け部が前記第１の取り付け部から前記壁面の側の逆側に向けて突出し、前記第１の取り付け部が前記第２の取り付け部から下向きに突出するようにして、前記第２の取り付け部を前記段板の前記下面に取り付け、前記板受け部材を前記壁面に取り付ける場合、前記蹴込板受けの前記一面が前記壁面に接触し、前記蹴込板受けの前記２つの端面が前記床面及び前記蹴込板の前記後面に接触するようにして、前記蹴込板受けを前記壁面に取り付け、前記蹴込板受けの取り付け後に、前記第１の取り付け部を前記蹴込板受けに取り付けることを特徴とする。
【００１８】
本実施の形態にあっては、側板の一面に被挿入部が設けられている。被挿入部の後部は開放されているので、溝に蹴込板が挿入されている段板を、被挿入部に後方から挿入することができる。或いは、先に段板を被挿入部に後方から挿入し、後から蹴込板を段板の溝に下方から挿入すると共に被挿入部に後方から挿入することができる。つまり、側板への段板及び蹴込板の取り付けが容易である上に、階段の組み立ての自由度が高い。
【００１９】
板受け部材は壁面に取り付けられる。壁面は、板受け部材を取り付けることができる前後方向の範囲が広いので、板受け部材を壁面に安定して取り付けることができる。壁面に安定して取り付けられた板受け部材が、段板の下面及び蹴込板の後面に接触することによって、段板の下面及び蹴込板の後面を安定して受け止めることができる。また、段板から板受け部材に加えられた下向きの荷重を、床面で受け止めることができる。
【００２０】
本実施の形態にあっては、被挿入部が有する横長凹部に段板が挿入され、被挿入部が有する縦長凹部に蹴込板が挿入される。開口は、側板の他面における横長凹部の下側且つ縦長凹部の後側の部分に設けられており、側板の開口を通して板受け部材が壁面に接触する。
被挿入部として凹部が側板に設けられるので、段板及び蹴込板が挿入される部分に側板の一部が存在する。故に、側板の機械的強度が大きい。
【００２１】
本実施の形態にあっては、被挿入部が有する横長凹部の上下方向の長さは段板の厚みよりも短く、被挿入部が有する縦長凹部の前後方向の長さは蹴込板の厚みよりも短い。故に、横長凹部は段板よりも下側に突出しておらず、縦長凹部は蹴込板よりも後側に突出していない。従って、板状の板受け部材が、側板に阻害されることなく段板の下面、蹴込板の後面、及び床面に接触することができると共に、開口を通して壁面に接触することができる。
板受け部材は、板受け部材の一面が壁面に接触するようにして壁面に取り付けられるので、板受け部材を壁面に取り付ける場合に板受け部材の姿勢を安定させることができる。
【００２２】
本実施の形態にあっては、板受け部材が、互いに別部材の蹴込板受けと段板受けとを備える。
蹴込板受けは板状をなし、側板の開口を通して壁面に接触すると共に、蹴込板の後面及び床面に接触する。
段板受けは取り付け部及び挿入部を有する。挿入部は蹴込板受けと段板の下面との間に挿入され、段板の下面に接触する。
蹴込板受けと段板の下面との間に挿入部が挿入された後で、取り付け部が蹴込板受けに取り付けられる。故に、例えば各部材の寸法又は配置位置の誤差、或いは床面の不陸等の悪影響によって段板が傾斜することがないよう、取り付け部の蹴込板受けへの取り付け位置を調整することができる。
【００２３】
本実施の形態にあっては、板受け部材が、互いに別部材の蹴込板受けと段板受けとを備える。
蹴込板受けは板状をなし、側板の開口を通して壁面に接触すると共に、蹴込板の後面及び床面に接触する。
段板受けは第１の取り付け部及び第２の取り付け部を有する。段板が側板の横長凹部に挿入される前に、第２の取り付け部は段板の下面に接触し、段板の下面に取り付けられる。
第２の取り付け部材が取り付けられている段板が、側板の横長凹部に挿入された後で、第１の取り付け部が蹴込板受けに取り付けられる。故に、例えば各部材の寸法又は配置位置の誤差、或いは床面の不陸等の悪影響によって段板が傾斜することがないよう、第１の取り付け部の蹴込板受けへの取り付け位置を調整することができる。
【００２４】
また、段板が側板の横長凹部に挿入された後で、第２の取り付け部を段板の下面に取り付ける必要がないので、階段の組み立てが容易である。
【発明の効果】
【００２５】
本実施の形態の階段及び階段の組み立て方法による場合、段板及び蹴込板を安定して受け止めることができる。
【図面の簡単な説明】
【００２６】
【図１】実施の形態１に係る階段を示す側面図である。
【図２】図１におけるII−II線による階段の断面図である。
【図３】階段が備える側板を示す側面図である。
【図４】階段が備える板受け部材を示す側面図である。
【図５】実施の形態２に係る階段を示す側面図である。
【図６】図５におけるVI−VI線による階段の断面図である。
【図７】階段が備える側板及び板受け部材の蹴込板受けを示す側面図である。
【図８】板受け部材の段板受けの取り付けを説明するための側面図である。
【図９】実施の形態３に係る階段の断面図である。
【図１０】階段が備える板受け部材の段板受けの取り付けを説明するための側面図である。
【図１１】実施の形態４に係る階段を示す側面図である。
【図１２】図１１におけるＸII−ＸII線による階段の断面図である。
【図１３】階段が備える最下段の段板及び蹴込板の取り付けを説明するための側面図である。
【図１４】階段が備える最下段の段板の取り付けを説明するための側面図である。
【図１５】階段が備える最下段の蹴込板の取り付けを説明するための側面図である。
【発明を実施するための形態】
【００２７】
以下、本発明を、その実施の形態を示す図面に基づいて詳述する。
【００２８】
実施の形態  １．
図１は、実施の形態１に係る階段を示す側面図である。図２は、図１におけるII−II線による階段の断面図である。
図中１は階段であり、階段１は、互いに対向する壁面２１，２１間に設けられている直階段である。階段１は、２枚の側板３，３、段板４１，４２、蹴込板４３，４４、及び２つの板受け部材５，５を備える。
【００２９】
図３は、階段１が備える側板３を示す側面図である。
図１〜図３に示すように、各側板３は、側板３の一面が壁面２１に接触するようにして、壁面２１に取り付けられている。以下では、側板３の一面／他面を側板３の外面３ａ／内面３ｂという。
側板３は、下階側から上階側に傾斜するように（図１及び図３の左下側から右上側に）延びる。側板３は、夫々側板３の長手方向に延びる端面３ｃ，３ｄを有する。端面３ｃ，３ｄ夫々は互いに平行であり、端面３ｃは端面３ｄの上側にある。また、側板３は前端面３ｅ及び下端面３ｆ（端面の一部）を有する。前端面３ｅは床面２２に垂直であり、端面３ｃに連続している。下端面３ｆは床面２２に接触しており、前端面３ｅに連続している。階段１の前後方向（図１及び図３の左右方向）は、側板３の内面３ｂに沿い、且つ下端面３ｆに沿う一方向であり、階段１の上下方向は、側板３の内面３ｂに沿って前後方向に交差する他方向である。
【００３０】
側板３の内面３ｂには、被挿入部３１、開口３２、横溝３３、及び縦溝３４が設けられている。
被挿入部３１は、横長凹部３１１及び縦長凹部３１２を有する。横長凹部３１１及び縦長凹部３１２夫々の深さは、側板３の厚みの半分程度である。
横長凹部３１１は、階段１の前後方向に延びており、端面３ｄに亘る。横長凹部３１１の後端部（図１及び図３の右端部）は開放されている。
縦長凹部３１２は上下方向に延びており、下端面３ｆに亘る。縦長凹部３１２の下端部は、床面２２によって閉鎖されている。縦長凹部３１２の上端部は横長凹部３１１の前端部近傍に連続している。
【００３１】
開口３２は、側板３の外面３ａにおける横長凹部３１１の下側且つ縦長凹部３１２の後側の部分に設けられており、端面３ｄ及び下端面３ｆに亘る。開口３２の後部は開放されている。開口３２の下部は床面２２によって閉鎖されている。開口３２の側板３の外面３ａ側は壁面２１によって閉鎖されている。
【００３２】
横溝３３及び縦溝３４夫々の深さは、側板３の厚みの半分程度である。
側板３にはＮ本の横溝３３，３３，…が設けられている。ただし、ＮはＮ≧２の整数である。横溝３３は前後方向に延びている。横溝３３の後端部は開放されている。
縦溝３４の上端部は、横溝３３の前端部近傍に連続している。縦溝３４は横溝３３毎に設けられており、上下方向に延びている。縦溝３４の下端部は開放されている。
横溝３３，３３，…及び縦溝３４，３４，…は、横長凹部３１１及び縦長凹部３１２の上階側に、階段状に並んでいる。縦溝３４，３４，…の内の最下段の縦溝３４は、横長凹部３１１に交わる。縦溝３４，３４，…の内の最下段の縦溝３４を除く各縦溝３４は、縦溝３４の上端部が連続している横溝３３の一段下の横溝３３に交わる。
【００３３】
図１には、図２におけるＩ−Ｉ線による段板４１，４２及び蹴込板４３，４４の断面が示されている。
段板４１，４２及び蹴込板４３，４４夫々は、一方向に長い矩形状をなす。
段板４１は、階段１の最下段の段板である。段板４１は、段板４１の長手方向が側板３，３の対向方向に沿い、段板４１の一面が上向き且つ水平になるようにして、側板３，３間に渡され、側板３，３に取り付けられている。段板４１の下面には、段板４１の長手方向の全長に亘る溝４１１が設けられている。
【００３４】
段板４１の長手方向の両端部は、側板３，３の横長凹部３１１，３１１に挿入されている。段板４１の厚みＡ１は、横長凹部３１１の上下方向の長さＡ２より長い。
横長凹部３１１の内部には、底面（横長凹部３１１の深さ方向の最奥面）、前端面、上側面、及び下側面がある。横長凹部３１１の下側面は横長凹部３１１の前端面と縦長凹部３１２との間にある。横長凹部３１１の底面は、段板４１の長手方向の一端面に接触している。横長凹部３１１の前端面、上側面、及び下側面は、段板４１の前端面、上面、及び下面に接触している。
【００３５】
蹴込板４３は、階段１の最下段の蹴込板である。蹴込板４３は、蹴込板４３の長手方向が側板３，３の対向方向に沿うようにして、段板４１から床面２２へ垂下している。蹴込板４３の上端部は、溝４１１に挿入されて、段板４１の下面に取り付けられている。蹴込板４３の下端面は、床面２２に接触している。
蹴込板４３の長手方向の両端部は、側板３，３の縦長凹部３１２，３１２に挿入されている。蹴込板４３の厚みＢ１は、縦長凹部３１２の前後方向の長さＢ２より長い。
縦長凹部３１２の内部には、底面（縦長凹部３１２の深さ方向の最奥面）及び前側面がある。縦長凹部３１２の底面は、蹴込板４３の長手方向の一端面に接触している。縦長凹部３１２の前側面は、蹴込板４３の前面に接触している。
【００３６】
以上のような横長凹部３１１及び縦長凹部３１２を有する被挿入部３１は、溝４１１に蹴込板４３が挿入されている段板４１の上面及び前端面、蹴込板４３の前面、並びに段板４１の前端面と蹴込板４３の前面との間に位置する段板４１の下面に沿う周縁を有する凹部であり、被挿入部３１の後部は開放されている。
【００３７】
階段１は段板４２をＮ枚備える。各段板４２は、段板４２の長手方向が側板３，３の対向方向に沿い、段板４２の一面が上向き且つ水平になるようにして、側板３，３間に渡され、側板３，３に取り付けられている。段板４２の下面には、長手方向の全長に亘る溝４２１が設けられている。
段板４２の長手方向の両端部は、側板３，３の横溝３３，３３に挿入されている。
【００３８】
横溝３３の内部には、底面（横溝３３の深さ方向の最奥面）、前端面、上側面、下側面、及び傾斜側面がある。横溝３３の下側面は横溝３３の前端面と縦溝３４との間にあり、縦溝３４よりも後側には傾斜側面がある。横溝３３の傾斜側面は、上側面に対向し、後側ほど下がるように傾斜している。横溝３３の底面は、段板４２の長手方向の一端面に接触している。横溝３３の前端面、上側面、及び下側面は、段板４２の前端面、上面、及び下面に接触している。横溝３３の傾斜側面と段板４２の下側面との間には、図示しないクサビ状の部材が嵌め込まれている。
【００３９】
階段１は蹴込板４４をＮ枚備える。
蹴込板４４，４４，…の内、最下段の蹴込板４４は、段板４１と段板４１の１段上の段板４２との間に配されている。最下段の蹴込板４４は、蹴込板４４の長手方向が側板３，３の対向方向に沿うようにして、段板４２から段板４１へ垂下している。蹴込板４４の上端部は、溝４２１に挿入されて、段板４２の下面に取り付けられている。蹴込板４４の下端部は、段板４１の後端面に取り付けられている。
蹴込板４４，４４，…の内、最下段の蹴込板４４を除く各蹴込板４４は、隣り合う２枚の段板４２，４２間に配されている。各蹴込板４４は、蹴込板４４の長手方向が側板３，３の対向方向に沿い、上階側の段板４２から下階側の段板４２へ垂下している。蹴込板４４の上端部は、溝４２１に挿入されて、上階側の段板４２の下面に取り付けられている。蹴込板４４の下端部は、下階側の段板４２の後端面に取り付けられている。
【００４０】
各蹴込板４４の長手方向の両端部は、側板３，３の縦溝３４，３４に挿入されている。
縦溝３４の内部には、底面（縦溝３４の深さ方向の最奥面）、前側面、及び後側面がある。縦溝３４の底面は、蹴込板４４の長手方向の一端面に接触している。縦溝３４の前側面及び後側面は、蹴込板４４の前面及び後面に接触している。
【００４１】
図４は、階段１が備える板受け部材５を示す側面図である。
各板受け部材５は矩形板である（図１、図２、及び図４参照）。板受け部材５は、板受け部材５の一面５ａが壁面２１に接触し、板受け部材５の上端面５ｂ、前端面５ｃ、及び下端面５ｄ（３つの端面）が、段板４１の下面、蹴込板４３の後面、及び床面２２に接触するようにして、壁面２１に取り付けられている。板受け部材５は、側板３の開口３２を通して壁面２１に接触している。
【００４２】
本実施の形態においては、板受け部材５の厚みは側板３の厚みと同程度であり、横長凹部３１１及び縦長凹部３１２夫々の深さは側板３の厚みの半分程度なので、板受け部材５の上端面５ｂ及び前端面５ｃは、板受け部材５の厚みの半分程度が段板４１の下面及び蹴込板４３の後面に接触している。
板受け部材５の上下長さＣ１は、床面２２から段板４１の下面までの高さＣ２と同程度であり、板受け部材５の前後長さＤ１は、蹴込板４３の後面から段板４１の後端面までの長さＤ２以上（図中Ｄ１＝Ｄ２）である。
【００４３】
なお、板受け部材５は矩形状又は板状に限定されない。板受け部材５は、壁面２１、段板４１の下面、蹴込板４３の後面、及び床面２２に接触する４つの面を有しているものであればよく、例えば正八角形板又は直方体でもよい。
【００４４】
次に、階段１の組み立て方法を説明する。
まず、側板３，３が壁面２１，２１に取り付けられる（図３参照）。
また、蹴込板４３の一方の長辺部が段板４１の溝４１１に挿入され、段板４１に蹴込板４３が取り付けられる。
次に、段板４１及び段板４１に取り付けられた蹴込板４３が、側板３，３の被挿入部３１，３１に後方から挿入される。このとき、段板４１が横長凹部３１１，３１１に挿入され、蹴込板４３が縦長凹部３１２，３１２に挿入される。
【００４５】
次いで、板受け部材５，５が壁面２１，２１に取り付けられる。各板受け部材５の取り付け時には、板受け部材５は、板受け部材５の一面５ａ及び下端面５ｄが壁面２１及び床面２２に接触するようにして前方へ移動される（図４参照）。板受け部材５の上端面５ｂ及び前端面５ｃが段板４１の下面及び蹴込板４３の後面に接触したとき、板受け部材５は壁面２１に取り付けられる（図１及び図２参照）。この結果、板受け部材５は側板３の開口３２を通して壁面２１に接触する。
板受け部材５の壁面２１への取り付けは、ネジ又は接着剤等を用いて行なう。
以上のようにして壁面２１，２１に取り付けられた板受け部材５，５は、段板４１を下側から受け止め、蹴込板４３を後側から受け止める。
次に、段板４１及び蹴込板４３が側板３，３に取り付けられる。
【００４６】
段板４１及び蹴込板４３の取り付け後、段板４１の１段上の段板４２が、側板３，３の横溝３３，３３に後方から挿入され、段板４２の下面と横溝３３，３３夫々の傾斜面との間にクサビ状の部材が嵌め込まれて、側板３，３に取り付けられる。また、蹴込板４４が側板３，３の縦溝３４，３４及び段板４２の溝４２１に下方から挿入されて、段板４２の下面及び段板４１の後端面に取り付けられる。
同様にして、側板３，３に取り付けられた段板４２の１段上の段板４２が側板３，３に取り付けられる。また、蹴込板４４が段板４２の下面及び段板４２の１段下の段板４２の後端面に取り付けられる。
【００４７】
以上のような階段１の場合、溝４１１に蹴込板４３が挿入されている段板４１を、側板３，３の被挿入部３１，３１に後方から挿入することができるので、側板３，３への段板４１及び蹴込板４３の取り付けが容易である。
被挿入部３１は凹部であり、開口ではない。即ち、側板３の段板４１及び蹴込板４３が挿入される部分に側板３の一部が存在するので、側板３の機械的強度が大きい。
なお、被挿入部３１は開口でもよい。この場合、被挿入部３１は、横長凹部３１１及び縦長凹部３１２夫々が切除されて開口３２と一体になったような形状をなす。
【００４８】
板受け部材５，５は壁面２１，２１に取り付けられる。壁面２１，２１は、板受け部材５，５を取り付けることができる前後方向の範囲が広いので、板受け部材５，５を壁面２１，２１に安定して取り付けることができる。
板受け部材５は、板受け部材５の一面５ａが壁面２１に接触するので、板受け部材５を壁面２１に取り付ける場合に板受け部材５の姿勢を安定させることができる。
【００４９】
壁面２１，２１に安定して取り付けられた板受け部材５，５が、段板４１の下面及び蹴込板４３の後面に接触することによって、段板４１の下面及び蹴込板４３の後面を安定して受け止めることができる。また、段板４１から板受け部材５，５に加えられた下向きの荷重を、床面２２で受け止めることができる。
横長凹部３１１は段板４１よりも下側に突出しておらず、縦長凹部３１２は蹴込板４３よりも後側に突出していない。また、板受け部材５は開口３２を通して壁面２１に接触する。従って、単純な矩形板である板受け部材５が、側板３に阻害されることなく段板４１の下面、蹴込板４３の後面、壁面２１、及び床面２２に接触することができる。
【００５０】
実施の形態  ２．
本実施の形態の階段１は、実施の形態１の階段１と略同様の構成である。本実施の形態の階段１は、実施の形態１の階段１と略同様の作用効果を奏する。以下では、実施の形態１との差異について説明し、その他、実施の形態１と同一の構成要素には同一の符号を付してそれらの説明を省略する。
【００５１】
図５は、実施の形態２に係る階段１を示す側面図である。
図６は、図５におけるVI−VI線による階段１の断面図である。
実施の形態１の板受け部材５は１枚の矩形板であるが、本実施の形態の板受け部材５は蹴込板受け５１及び段板受け５２を備える。
【００５２】
図７は、階段１が備える側板３及び板受け部材５の蹴込板受け５１を示す側面図である。
各蹴込板受け５１は矩形板である（図５〜図７参照）。蹴込板受け５１は、蹴込板受け５１の一面が壁面２１に接触し、蹴込板受け５１の前端面５１ａ及び下端面５１ｂ（２つの端面）が蹴込板４３の後面及び床面２２に接触するようにして、壁面２１に取り付けられている。蹴込板受け５１は、側板３の開口３２を通して壁面２１に接触している。以下では、蹴込板受け５１の一面／他面を蹴込板受け５１の外面５１ｃ／内面５１ｄという。
蹴込板受け５１の上下長さＣ３は、床面２２から段板４１の下面までの高さＣ２よりも短い。故に、蹴込板受け５１の上端面５１ｅ（他の端面）は段板４１の下面から下方に離隔しており、蹴込板受け５１の上端面５１ｅと段板４１の下面との間に空隙が形成されている。蹴込板受け５１の前後長さＤ３は、蹴込板４３の後面から段板４１の後端面までの長さＤ２以上（図中Ｄ３＝Ｄ２）である。
【００５３】
段板受け５２は、取り付け部５２１及び挿入部５２２を備える。
取り付け部５２１は細長い矩形板である。
挿入部５２２は、取り付け部５２１の２つの長辺部の一方から、取り付け部５２１の一面に交差する方向に突出している突条である。挿入部５２２は取り付け部５２１の全長に亘る。本実施の形態においては、取り付け部５２１の一面からの挿入部５２２の突出長さは、側板３の厚みの半分程度である。
以上のような取り付け部５２１及び挿入部５２２を備える段板受け５２は、長手方向に交差する断面がＬ字状をなす。
【００５４】
取り付け部５２１は、取り付け部５２１の長手方向が前後方向に沿い、挿入部５２２が壁面２１に向けて突出する向きで、蹴込板受け５１の内面５１ｄに取り付けられている。
挿入部５２２は、蹴込板受け５１の上端面５１ｅ及び段板４１の下面に接触するようにして、段板４１の下面と蹴込板受け５１の上端面５１ｅとの間に挿入されている。
なお、蹴込板受け５１は矩形状に限定されない。また、段板受け５２はＬ字状に限定されず、例えば、取り付け部５２１から挿入部５２２の突出方向の逆方向に突出する突出部を更に備えるＴ字状でもよい。
【００５５】
次に、階段１の組み立て方法を説明する。
まず、実施の形態１の場合と同様にして、段板４１が横長凹部３１１，３１１に挿入され、蹴込板４３が縦長凹部３１２，３１２に挿入される。
次に、蹴込板受け５１，５１が壁面２１，２１に取り付けられる。各蹴込板受け５１の取り付け時には、蹴込板受け５１は、蹴込板受け５１の外面５１ｃ及び下端面５１ｂが壁面２１及び床面２２に接触するようにして前方へ移動され、蹴込板受け５１の前端面５１ａが段板４１の蹴込板４３の後面に接触したときに、壁面２１に取り付けられる（図７参照）。この結果、蹴込板受け５１は側板３の開口３２を通して壁面２１に接触し、蹴込板受け５１の上端面５１ｅと段板４１の下面との間には空隙が形成される。
蹴込板受け５１の壁面２１への取り付けは、ネジ又は接着剤等を用いて行なう。
【００５６】
図８は、板受け部材５の段板受け５２の取り付けを説明するための側面図である。
蹴込板受け５１，５１の取り付け後、各蹴込板受け５１に段板受け５２が取り付けられる。
具体的には、まず、挿入部５２２の先端部が壁面２１に向き、挿入部５２２が段板４１の下面に接触し、取り付け部５２１が蹴込板受け５１の内面５１ｄに接触するようにして、挿入部５２２が蹴込板受け５１の上端面５１ｅと段板４１の下面との間の空隙に挿入される。
次に、取り付け部５２１が蹴込板受け５１に取り付けられる。取り付け部５２１の蹴込板受け５１への取り付けは、例えばネジ又は釘等を用いて行なう。
【００５７】
段板受け５２が段板４１を安定して支持するためには、挿入部５２２が蹴込板受け５１の上端面５１ｅ及び段板４１の下面の両方に接触していることが望ましい。しかしながら、各部材の寸法又は配置位置の誤差、或いは床面２２の不陸等の悪影響によって、挿入部５２２を蹴込板受け５１の上端面５１ｅ及び段板４１の下面の両方に接触させることができない場合がある。この場合には、段板４１の上面が水平に保たれるように挿入部５２２を段板４１の下面に接触させた状態で、取り付け部５２１を蹴込板受け５１に取り付ければよい。段板受け５２の上下方向の位置は、挿入部５２２の挿入の際に調整される。
【００５８】
以上のような階段１の場合、蹴込板受け５１，５１が壁面２１，２１に取り付けられる。壁面２１，２１は、蹴込板受け５１，５１を取り付けることができる前後方向の範囲が広いので、蹴込板受け５１，５１を壁面２１，２１に安定して取り付けることができる。
壁面２１，２１に安定して取り付けられた蹴込板受け５１，５１が、蹴込板４３の後面に接触することによって、蹴込板４３の後面を安定して受け止めることができる。
また、蹴込板受け５１，５１に取り付けられた段板受け５２，５２が、段板４１の下面に接触することによって、段板４１の下面を安定して受け止めることができる。
また、段板４１から段板受け５２，５２に加えられた下向きの荷重を、蹴込板受け５１，５１を通して、床面２２で受け止めることができる。
【００５９】
蹴込板受け５１は、蹴込板受け５１の外面５１ｃが壁面２１に接触するので、蹴込板受け５１を壁面２１に取り付ける場合に蹴込板受け５１の姿勢を安定させることができる。
なお、本実施の形態では板受け部材５が１つの蹴込板受け５１を備える構成を例示したが、これに限定されず、板受け部材５は複数の蹴込板受けを備え、これらが前後方向に並置される構成でもよい。
【００６０】
実施の形態  ３．
本実施の形態の階段１は、実施の形態２の階段１と略同様の構成である。本実施の形態の階段１は、実施の形態２の階段１と略同様の作用効果を奏する。以下では、実施の形態２との差異について説明し、その他、実施の形態２と同一の構成要素には同一の符号を付してそれらの説明を省略する。
【００６１】
図９は、実施の形態３に係る階段１の断面図である。
実施の形態２の板受け部材５は蹴込板受け５１及び段板受け５２を備えるが、本実施の形態の板受け部材５は蹴込板受け５１及び段板受け５３を備える。
蹴込板受け５１は、実施の形態１の板受け部材５と同様の構成でもよく、実施の形態２の蹴込板受け５１と同様の構成でもよい。つまり、蹴込板受け５１の上端面５１ｅは段板４１の下面と接触していても接触していなくてもよい。
【００６２】
段板受け５３は、取り付け部５３１（第１の取り付け部）及び取り付け部５３２（第２の取り付け部）を備える。
取り付け部５３１，５３２夫々は矩形板である。取り付け部５３２は、取り付け部５３１の一辺から、取り付け部５３１の一面に交差する方向に突出している。取り付け部５３１，５３２は、蹴込板受け５１の内面５１ｄ及び段板４１の下面に取り付けられている。取り付け部５３１は取り付け部５３２から下向きに突出している。取り付け部５３２は、取り付け部５３１から、蹴込板受け５１が取り付けられた壁面２１の側の逆側に向けて突出している。
以上のような取り付け部５３１，５３２を備える段板受け５３は、例えば一般的なＬ型のブラケットである。
【００６３】
次に、階段１の組み立て方法を説明する。
まず、側板３，３が壁面２１，２１に取り付けられる。
また、蹴込板４３の一方の長辺部が段板４１の溝４１１に挿入され、段板４１に蹴込板４３が取り付けられる。更に、蹴込板４３の下面における長手方向の両端部に、段板受け５３，５３の取り付け部５３２，５３２が取り付けられる。
【００６４】
図１０は、階段１が備える板受け部材５の段板受け５２の取り付けを説明するための側面図である。
段板４１及び段板４１に取り付けられた蹴込板４３は、側板３，３の被挿入部３１，３１に後方から挿入される。このとき、段板４１が横長凹部３１１，３１１に挿入され、蹴込板４３が縦長凹部３１２，３１２に挿入される。
次に、実施の形態２の場合と同様にして、蹴込板受け５１，５１が壁面２１，２１に取り付けられる（図９参照）。
【００６５】
次いで、段板受け５３，５３の取り付け部５３１，５３１が蹴込板受け５１，５１の外面５１ｃ，５１ｃに取り付けられる。各取り付け部５３１の蹴込板受け５１への上下方向の取り付け位置は、段板４１の上面が水平に保たれるように調整される。故に、各部材の寸法又は配置位置の誤差、或いは床面２２の不陸等の悪影響によって、段板４１の上面が傾斜することが抑制される。
取り付け部５３１，５３２の蹴込板受け５１及び段板４１への取り付けは、例えばネジ又は釘等を用いて行なう。
【００６６】
段板４１が横長凹部３１１，３１１に挿入される前に段板４１に段板受け５３，５３が取り付けられるので、階段１の組み立てが容易である。何故ならば、最下段の段板４１と床面２２との間の狭い空間において段板４１の下面に段板受け５３を取り付けるための作業（例えば段板４１の下面に上向きにネジを打ち込む作業）を行なう必要がないからである。
なお、段板４１が横長凹部３１１，３１１に挿入された後で段板４１に段板受け５３，５３が取り付けられてもよい。
【００６７】
以上のような階段１の場合、段板受け５３，５３が段板４１の下面を安定して受け止めることができる。また、段板４１から段板受け５３，５３に加えられた下向きの荷重を、蹴込板受け５１，５１を通して、床面２２で受け止めることができる。
【００６８】
なお、実施の形態２，３においては、横長凹部３１１が板受け部材５に干渉しない限りにおいて、横長凹部３１１の上下方向の長さＡ２が段板４１の厚みＡ１以上であってもよい。
【００６９】
実施の形態  ４．
本実施の形態に係る階段は、一面に凹部を有し、他面が壁面に接触し、端面の一部が床面に接触しており、前記壁面に取り付けられている側板と、前記凹部に挿入されており、前記側板に交差する方向に延びる溝が下面に設けられている最下段の段板と、前記凹部及び前記溝に挿入されている蹴込板とを備える階段において、前記凹部の後部は開放されており、前記段板の前記下面及び前記凹部の内面に取り付けられている段板支持部材と、前記床面及び前記段板の後面に接触するようにして前記床面に取り付けられている蹴込板支持部材とを備えることを特徴とする。
【００７０】
本実施の形態に係る階段の組み立て方法は、一面に凹部を有し、他面が壁面に接触し、端面の一部が床面に接触し、前記壁面に取り付けられる側板と、前記凹部に挿入され、前記側板に交差する方向に延びる溝が下面に設けられている最下段の段板と、前記凹部及び前記溝に挿入される蹴込板とを備える階段を組み立てる方法であって、前記凹部が、前記一面に沿い且つ前記端面の前記一部に沿う一方向の一側が開放されている前記側板と、前記段板と、前記蹴込板と、前記段板を支持するための段板支持部材と、前記蹴込板を支持するための蹴込板支持部材とを準備し、前記一側が後側になるようにして、前記側板を前記壁面に取り付け、前記側板の取り付け後、前記下面に前記段板支持部材が取り付けられており、前記溝に前記蹴込板が挿入されている前記段板を、前記凹部に後方から挿入するか、或いは、前記下面に前記段板支持部材が取り付けられており、前記溝に前記蹴込板が挿入されていない前記段板を前記凹部に挿入し、前記溝に前記蹴込板が挿入されていない前記段板を前記凹部に挿入した場合、前記蹴込板を前傾させて前記溝に下方から挿入すると共に前記凹部に後方から挿入し、前記段板の挿入後、前記段板支持部材を前記凹部の内面に取り付け、前記蹴込板の挿入後、前記蹴込板支持部材を前記床面及び前記段板の後面に接触するようにして前記床面に取り付けることを特徴とする。
【００７１】
本実施の形態にあっては、側板の一面に凹部が設けられている。凹部の後部は開放されているので、溝に蹴込板が挿入されている段板を、凹部に後方から挿入することができる。或いは、先に段板を凹部に後方から挿入し、後から蹴込板を段板の溝に下方から挿入すると共に凹部に後方から挿入することができる。つまり、側板への段板及び蹴込板の取り付けが容易である上に、階段の組み立ての自由度が高い。
【００７２】
段板支持部材は凹部の内面に取り付けられる。凹部の内面の内、段板の下面の近傍は、床面の近傍に比べて、段板支持部材を取り付けることができる前後方向の範囲が広いので、段板支持部材を凹部の内面に安定して取り付けることができる。
蹴込板支持部材は床面に取り付けられる。床面は、蹴込板支持部材を取り付けることができる範囲が広いので、蹴込板支持部材を床面に安定して取り付けることができる。
凹部の内面に安定して取り付けられた段板支持部材が、段板の下面に接触し、床面に安定して取り付けられた蹴込板支持部材が蹴込板の後面に接触することによって、段板の下面及び蹴込板の後面を安定して受け止めることができる。また、段板から段板支持部材に加えられた下向きの荷重を、床面で受け止めることができる。
【００７３】
本実施の形態の階段１は、実施の形態１の階段１と略同様の構成である。本実施の形態の階段１は、実施の形態１の階段１と略同様の作用効果を奏する。以下では、実施の形態１との差異について説明し、その他、実施の形態１と同一の構成要素には同一の符号を付してそれらの説明を省略する。
【００７４】
図１１は、実施の形態４に係る階段１を示す側面図である。
図１２は、図１１におけるＸII−ＸII線による階段１の断面図である。
本実施の形態の側板３の内面３ｂには凹部３５が設けられており、被挿入部３１及び開口３２は設けられていない。
凹部３５は側板３の端面３ｄ及び下端面３ｆに亘る。凹部３５の後部は開放されており、凹部３５の下端部は床面２２によって閉鎖されている。凹部３５の構成は、実施の形態１の被挿入部３１において、横長凹部３１１の底面が側板３の端面３ｄに沿う方向に床面２２まで延長されたような構成である。
本実施の形態の階段１は、２つの段板支持部材６１，６１及び蹴込板支持部材６２を備え、板受け部材５，５を備えていない。
【００７５】
各段板支持部材６１は取り付け部６１１，６１２を備える。
段板支持部材６１の取り付け部６１１，６１２の構成は、実施の形態３の段板受け５３の取り付け部５３１，５３２の構成と略同様である。ただし、実施の形態３の取り付け部５３１は蹴込板受け５１の内面５１ｄに取り付けられているが、取り付け部６１１は凹部３５の底面（凹部３５の深さ方向の最奥面）に取り付けられており、取り付け部６１２は、取り付け部６１１から、凹部３５の底面の側の逆側に向けて突出している。
【００７６】
蹴込板支持部材６２は角材である。蹴込板支持部材６２は、蹴込板支持部材６２の一側面が床面２２に接触し、蹴込板支持部材６２の他側面が蹴込板４３の後面に接触するようにして、床面２２に取り付けられている。
【００７７】
次に、階段１の組み立て方法を説明する。
まず、側板３，３が壁面２１，２１に取り付けられる。
また、蹴込板４３の一方の長辺部が段板４１の溝４１１に挿入され、段板４１に蹴込板４３が取り付けられる。更に、段板４１の下面における長手方向の両端部に、段板支持部材６１，６１の取り付け部６１２，６１２が取り付けられる。
【００７８】
図１３は、階段１が備える最下段の段板４１及び蹴込板４３の取り付けを説明するための側面図である。
段板４１及び段板４１に取り付けられた蹴込板４３は、側板３，３の凹部３５，３５に後方から挿入される。
【００７９】
次に、段板支持部材６１，６１の取り付け部６１１，６１１が凹部３５，３５の内面に取り付けられる。各取り付け部６１１の凹部３５の内面への上下方向の取り付け位置は、段板４１の上面が水平に保たれるように調整される。故に、各部材の寸法又は配置位置の誤差、或いは床面２２の不陸等の悪影響によって、段板４１の上面が傾斜することが抑制される。
取り付け部６１１，６１２の凹部３５の内面及び段板４１の下面への取り付けは、例えばネジ又は釘等を用いて行なう。
【００８０】
段板４１が凹部３５，３５に挿入される前に段板４１に段板支持部材６１，６１が取り付けられるので、階段１の組み立てが容易である。
なお、段板４１が凹部３５，３５に挿入された後で段板４１に段板支持部材６１，６１が取り付けられてもよい。
【００８１】
段板支持部材６１，６１の取り付け後、蹴込板支持部材６２の一側面が床面２２に接触し、蹴込板支持部材６２の他側面が蹴込板４３の後面に接触するようにして、蹴込板支持部材６２が床面２２に取り付けられる（図１１及び図１２参照）。蹴込板支持部材６２の床面２２への取り付けは、例えばネジ又は接着剤等を用いて行なう。
【００８２】
以上のような階段１の場合、凹部３５，３５に取り付けられた段板支持部材６１，６１が、段板４１の下面に接触することによって、段板４１の下面を安定して受け止めることができる。
また、段板４１から段板支持部材６１，６１に加えられた下向きの荷重を、凹部３５，３５を通して、床面２２で受け止めることができる。
【００８３】
なお、蹴込板支持部材６２の形状、寸法、及び機械的性質等の設計条件は、段板支持部材６１の設計条件よりも制約が少ないので、蹴込板支持部材６２として、例えば階段１の組み立て現場で生じた端材が利用されてもよい。また、本実施の形態では階段１が１本の蹴込板支持部材６２を備える構成を例示したが、これに限定されず、階段１は複数本の蹴込板支持部材を備え、これらが左右方向に並置される構成でもよい。
【００８４】
次に、階段１の他の組み立て方法を説明する。
図１４は、階段１が備える最下段の段板４１の取り付けを説明するための側面図である。図１５は、階段１が備える最下段の蹴込板４３の取り付けを説明するための側面図である。
まず、側板３，３が壁面２１，２１に取り付けられる。
また、段板４１の下面における長手方向の両端部に、段板支持部材６１，６１の取り付け部６１２，６１２が取り付けられる。
【００８５】
次いで、段板４１が、凹部３５，３５に後方から挿入される（図１４参照）。次に、段板支持部材６１，６１の取り付け部６１１，６１１が、側板３，３の凹部３５，３５の内面に取り付けられる。
次に、蹴込板４３が下方から段板４１の溝４１１に挿入されると共に側板３，３の凹部３５，３５に後方から挿入される（図１５参照）。
次いで、蹴込板支持部材６２が床面２２に取り付けられる（図１１参照）。
【００８６】
ところで、実施の形態１〜３においては、段板４１及び蹴込板４３が同時的に側板３，３の被挿入部３１，３１に挿入される場合を例示したが、これに限定されるものではない。
例えば、実施の形態１，２の階段１の場合、まず、段板４１が側板３，３の横長凹部３１１，３１１に後方から挿入されて側板３，３に仮固定される。次に、蹴込板４３が下方から段板４１の溝４１１に挿入されると共に側板３，３の縦長凹部３１２，３１２に後方から挿入される。次いで、板受け部材５，５の取り付けが行なわれる。
【００８７】
また、実施の形態３の階段１の場合、段板受け５３，５３の取り付け部５３２，５３２が取り付けられた段板４１が、側板３，３の横長凹部３１１，３１１に後方から挿入されて側板３，３に仮固定される。次に、蹴込板４３が下方から段板４１の溝４１１に挿入されると共に側板３，３の縦長凹部３１２，３１２に後方から挿入される。次いで、蹴込板受け５１，５１が壁面２１，２１に取り付けられる。次に、段板受け５３，５３の取り付け部５３１，５３１が蹴込板受け５１，５１の内面５１ｄに取り付けられる。
以上のように、実施の形態１〜４の階段１は、組み立ての自由度が高い。
【００８８】
なお、実施の形態１の側板３が実施の形態４の側板３と同様の構成でもよい。この場合、実施の形態１の板受け部材５は、凹部３５の内面、段板４１の下面、蹴込板４３の後面、及び床面２２に接触する第１の部分と、第１の部分に連続し、少なくとも壁面２１に接触するようにして壁面２１に取り付けられる第２の部分とを有する。このような板受け部材５の形状は、矩形板状の板受け部材５に比べて複雑である。
同様に、実施の形態２，３の側板３が実施の形態４の側板３と同様の構成でもよい。この場合、実施の形態２，３の蹴込板受け５１は、凹部３５の内面、蹴込板４３の後面、及び床面２２に接触し、段板４１の下面に対向する第１の部分と、第１の部分に連続し、少なくとも壁面２１に接触するようにして壁面２１に取り付けられる第２の部分とを有する。
【００８９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【００９０】
２１    壁面
２２    床面
３      側板
３１    被挿入部
３１１  横長凹部
３１２  縦長凹部
３２    開口
４１    段板
４１１  溝
４３    蹴込板
５      板受け部材
５１    蹴込板受け
５２，５３  段板受け
５２１  取り付け部
５２２  挿入部
５３１  取り付け部（第１の取り付け部）
５３２  取り付け部（第２の取り付け部）
【図１】
2019031860.tif 000003
【図２】
2019031860.tif 000004
【図３】
2019031860.tif 000005
【図４】
2019031860.tif 000006
【図５】
2019031860.tif 000007
【図６】
2019031860.tif 000008
【図７】
2019031860.tif 000009
【図８】
2019031860.tif 000010
【図９】
2019031860.tif 000011
【図１０】
2019031860.tif 000012
【図１１】
2019031860.tif 000013
【図１２】
2019031860.tif 000014
【図１３】
2019031860.tif 000015
【図１４】
2019031860.tif 000016
【図１５】
2019031860.tif 000017